(57)【要約】【課題】本発明は、テレビを個別に制御できる携帯用電子装置によって、テレビを制御することができるテレビ制御システム及びその制御方法を提供する。【解決手段】本発明に係るテレビ制御方法は、スマートテレビと１つ又は複数の携帯用電子装置を通信するように、携帯用電子装置から送信された通信信号を受信したか否かを判断するステップと、前記スマートテレビの放送モードを個人モード又は一般モードにするステップであって、前記個人モードは、現在の通信された携帯用電子装置の個別設定を含むステップ及び現在の通信された携帯用電子装置から送信されたコマンドに基づいて関連機能を実行するステップを備える。【選択図】図４
2014128033.tif 000002
【特許請求の範囲】
【請求項１】
スマートテレビの中に搭載され且つ１つ又は複数の携帯用電子装置によって制御するテレビ制御システムにおいて、
前記スマートテレビと１つ又は複数の携帯用電子装置とを通信するために、携帯用電子装置から送信された通信信号を受信したか否かを判断するための通信判断モジュールと、
前記スマートテレビの放送モードを個人モード又は一般モードにするためのモード選択モジュールであって、前記個人モードは、現在の通信された携帯用電子装置の個別設定を含むモード選択モジュールと、
現在の通信された携帯用電子装置から送信されたコマンドに基づいて関連機能を実行するための実行モジュールと、
を備えることを特徴とするテレビ制御システム。
【請求項２】
前記通信判断モジュールが、２つ以上の携帯用電子装置から送信された通信信号を受信した場合、前記モード選択モジュールは、前記スマートテレビの放送モードを一般モードに選択し、
前記通信判断モジュールが、１つのみの携帯用電子装置から送信された通信信号を受信した場合、前記モード選択モジュールは、前記スマートテレビの放送モードを個人モードにすることを特徴とする請求項１に記載のテレビ制御システム。
【請求項３】
前記個人モードは、最も好きな番組リスト、最も好きなチャンネルリスト又は最も好きな設定等の個別設定を含み、前記最も好きなチャンネルリストには、チャンネル及びチャンネルの放送時間が記録されていることを特徴とする請求項１または２に記載のテレビ制御システム。
【請求項４】
前記スマートテレビの放送モードを個人モードにする場合、前記モード選択モジュールは、
現在の時間において、最も好きな番組リストに記録された番組が存在するか否かを判断し、前記番組を放送するチャンネルをスマートテレビの電源投入時のチャンネルに設定し、或いは、
現在の時間と最も好きなチャンネルリストに記録されたチャンネルの放送時間とが一致するか否かを判断し、最も好きなチャンネルリストに記録された放送時間が現在の時間と一致するチャンネルをスマートテレビの電源投入時のチャネルに設定し、或いは、
前回のスマートテレビの電源がオフされる時のチャンネルをスマートテレビの電源投入時のチャンネルに設定し、及び、
ユーザが他のチャンネルに切り替える場合、最も好きな番組リスト及び最も好きなチャンネルリストを現在の通信された携帯用電子装置の表示モジュールに表示するために用いられることを特徴とする請求項１〜３のいずれか１項に記載のテレビ制御システム。
【請求項５】
前記テレビ制御システムは、さらに、認証モジュールを備え、
前記認証モジュールは、スマートテレビを制御するための携帯用電子装置を認証し、
前記認証モジュールによって認証された携帯用電子装置は、前記スマートテレビを制御することができることを特徴とする請求項１〜４のいずれか１項に記載のテレビ制御システム。
【請求項６】
前記実行モジュールは、さらに、
現在の通信された携帯用電子装置からの番組又はチャンネルを選択する信号を受信した場合、選択された番組又はチャンネルに切り替え、
現在の通信された携帯用電子装置からの現在の番組又はチャンネルを、最も好きな番組リスト及び／或いは最も好きなチャンネルリストに追加する信号を受信した場合、現在の番組又はチャンネルを最も好きな番組リスト及び／或いは最も好きなチャンネルリストに追加し、且つスマートテレビと携帯用電子装置との最も好きな番組リスト及び／或いは最も好きなチャンネルリストを同期し、
スマートテレビを停止する信号を受信した場合、スマートテレビを停止するために用いられることを特徴とする請求項１〜５のいずれか１項に記載のテレビ制御システム。
【請求項７】
１つ又は複数の携帯用電子装置によってスマートテレビを制御するためのテレビ制御方法において、
前記スマートテレビと１つ又は複数の携帯用電子装置とを通信するように、携帯用電子装置から送信された通信信号を受信したか否かを判断するステップと、
前記スマートテレビの放送モードを個人モード又は一般モードに選択するステップであって、前記個人モードは、現在の通信された携帯用電子装置の個別設定を含むステップと、
現在の通信された携帯用電子装置から送信されたコマンドに基づいて関連機能を実行するステップと、
を備えることを特徴とするテレビ制御方法。
【請求項８】
携帯用電子装置の中に搭載され且つスマートテレビを制御するためのテレビ制御システムにおいて、
スマートテレビを制御するように、ユーザの最も好きな番組を最も好きな番組リストに追加し、及びユーザの最も好きなチャンネルを最も好きなチャンネルリストに追加するためのモード設定モジュールと、
最も好きな番組リスト及び最も好きなチャンネルリストを表示するための表示モジュールと、
前記最も好きな番組リスト及び最も好きなチャンネルリストから番組又はチャンネルを選択するように、ユーザにチャンネル選択キーを提供し、且つユーザの選択に基づいて番組又はチャンネルの切り替えを行うための番組選択モジュールと、
スマートテレビをオン或いはオフするための電源モジュールと、
を備えることを特徴とするテレビ制御システム。
【請求項９】
スマートテレビを制御するためのテレビ制御方法において、
前記スマートテレビをオンするステップと、
スマートテレビを制御するように、ユーザの最も好きな番組を最も好きな番組リストに追加し、及びユーザの最も好きなチャンネルを最も好きなチャンネルリストに追加するステップと、
最も好きな番組リスト及び最も好きなチャンネルリストを表示するステップと、
前記最も好きな番組リスト及び最も好きなチャンネルリストから番組又はチャンネルを選択するように、ユーザにチャンネル選択キーを提供し、且つユーザの選択に基づいて番組又はチャンネルの切り替えを行うステップと、
スマートテレビをオフするステップと、
を備えることを特徴とするテレビ制御方法。
【発明の詳細な説明】
【技術分野】
【０００１】
本発明は、テレビ制御システム及びその制御方法に関するものである。
【背景技術】
【０００２】
従来のテレビは、一般的には、リモコンによってチャンネル選択又は音量調節等の操作を行う。しかし、情報技術の発展に伴い、テレビもさらに多くの機能を有するようになったため、従来のリモコンでは、テレビの制御要求を満たすことができなくなってきた。
【発明の概要】
【発明が解決しようとする課題】
【０００３】
前記課題を解決するために、本発明は、テレビを個別に制御できる携帯用電子装置によって、テレビを制御することができるテレビ制御システム及びその制御方法を提供する。
【課題を解決するための手段】
【０００４】
本発明に係る制御装置は、スマートテレビの中に搭載され且つ１つ又は複数の携帯用電子装置によって制御し、通信判断モジュール、モード選択モジュール及び実行モジュールを備える。前記通信判断モジュールは、前記スマートテレビと１つ又は複数の携帯用電子装置を通信するように、携帯用電子装置から送信された通信信号を受信したか否かを判断する。モード選択モジュールは、前記スマートテレビの放送モードを個人モード又は一般モードにする。前記個人モードは、現在の通信された携帯用電子装置の個別設定を含む。前記実行モジュールは、現在の通信された携帯用電子装置から送信されたコマンドに基づいて関連機能を実行する。
【０００５】
本発明に係るテレビ制御方法は、スマートテレビと１つ又は複数の携帯用電子装置を通信するように、携帯用電子装置から送信された通信信号を受信したか否かを判断するステップと、前記スマートテレビの放送モードを個人モード又は一般モードにするステップであって、前記個人モードは、現在の通信された携帯用電子装置の個別設定を含むステップ及び現在の通信された携帯用電子装置から送信されたコマンドに基づいて関連機能を実行するステップを備える。
【発明の効果】
【０００６】
従来の技術と比べて、本発明のテレビ制御システム及びその制御方法においては、携帯用電子装置によってテレビを制御する。これにより、テレビの個別制御を実現することができる。
【図面の簡単な説明】
【０００７】
【図１】本発明の実施形態に係るテレビ制御システムのハードウェアの構成のブロック図である。
【図２】図１に示したテレビ制御システムの第一テレビ制御システムのブロック図である。
【図３】図１に示したテレビ制御システムの第二テレビ制御システムのブロック図である。
【図４】本発明の実施形態に係るテレビ制御方法のフローチャートである。
【図５】図４に示したステップＳ０１の詳細なフローチャートである。
【図６】図４に示したステップＳ０６の詳細なフローチャートである。
【図７】図４に示したステップＳ０８の詳細なフローチャートである。
【図８】本発明の実施形態に係るテレビ制御システムのユーザインタフェースを示す図である。
【発明を実施するための形態】
【０００８】
以下、図面を参照して、本発明の実施形態について説明する。
【０００９】
図１を参照すると、本発明の実施形態に係るテレビ制御システムは、スマートテレビ１に搭載されている第一テレビ制御システム１０及び１つ又は複数の携帯用電子装置２に搭載されている第二テレビ制御システム２０を備える。携帯用電子装置２は、スマートフォン、携帯端末（ＰＤＡ）、ノートパソコンであっても良い。
【００１０】
スマートテレビ１は、さらに、通信装置１１、制御装置１２、記憶装置１３及び表示装置１４を備える。各携帯用電子装置２は、さらに、通信装置２１、制御装置２２、記憶装置２３及び表示装置２４を備える。
【００１１】
通信装置１１及び通信装置２１は、ブルートゥース（登録商標）装置、赤外線装置或いは無線ＬＡＮ装置等であっても良い。スマートテレビ１の通信装置１１と携帯用電子装置２の通信装置２１とは、互いに通信することができる。制御装置１２及び制御装置２２は、プロセッサ、マイクロプロセッサ、特定用途向け集積回路（ＡＳＩＣ）、フィールドプログラマブルゲートアレイ（ＦＰＧＡ）等であっても良い。スマートテレビ１の記憶装置１３及び携帯用電子装置２の記憶装置２３は、ハードディスクドライブ、コンパクトディスク、デジタルビデオディスク又はテープドライブ等の非一時的なコンピュータ可読記憶媒体であっても良い。スマートテレビ１の表示装置１４は、テレビ番組を表示するために用いられ、携帯用電子装置２の表示装置２４は、テレビ制御システムのユーザインタフェース（図８を参照）を表示するために用いられる。これにより、ユーザは、該ユーザインタフェースによってスマートテレビ１を制御することができる。
【００１２】
第一テレビ制御システム１０及び第二テレビ制御システム２０は、スマートテレビ１の記憶装置１３及び携帯用電子装置２の記憶装置２３にそれぞれ記憶されている１つ又は複数のプログラムの形式によってコンピュータ化されたコードを含む。第一テレビ制御システム１０及び第二テレビ制御システム２０の複数のプログラムは、それぞれスマートテレビ１の制御装置１２及び携帯用電子装置２制御装置２２によって実行される。
【００１３】
図２及び図３を参照すると、第一テレビ制御システム１０は、認証モジュール１００、通信判断モジュール１０１、モード選択モジュール１０２及び実行モジュール１０３を備える。第二テレビ制御システム２０は、請求モジュール２００、初期化モジュール２０１、モード設定モジュール２０２、表示モジュール２０３、番組選択モジュール２０４及び電源モジュール２０５を備える。モジュール１００〜１０３及びモジュール２００〜２０５の機能の詳細な説明は、以下の段落に記載する。
【００１４】
図４に示すように、本発明の実施形態に係るテレビ制御方法は、以下のステップを備える。
【００１５】
ステップＳ０１において、認証モジュール１００は、スマートテレビ１を制御するための携帯用電子装置２を認証する。認証モジュール１００によって認証された携帯用電子装置２は、スマートテレビ１を制御することができる。ステップＳ０１の詳細なフローチャートは、図５を参照する。
【００１６】
ステップＳ０２において、通信判断モジュール１０１は、認証された携帯用電子装置２から送信された通信信号を受信したか否かを判断する。具体的には、スマートテレビ１の通信装置１１が携帯用電子装置２の通信装置２１から送信された通信信号（例えば、電源オン信号、チャンネルスイッチ信号）を受信すると、通信判断モジュール１０１は、該携帯用電子装置２の識別情報（例えば、携帯電話番号、ハードウェアＩＤ）と認証された携帯用電子装置２の識別情報とを比較し、この携帯用電子装置２が認証された携帯用電子装置２であるか否かを判断する。通信判断モジュール１０１は、認証された携帯用電子装置２から送信された通信信号を受信すると、ステップＳ０３を実行する。通信判断モジュール１０１が、認証された携帯用電子装置２から送信された通信信号を受信しなかった場合、プロセスはここで終了する。
【００１７】
ステップＳ０３において、通信判断モジュール１０１は、さらに、２つ以上の認証された携帯用電子装置２から送信された通信信号を受信したか否かを判断する。２つ以上の認証された携帯用電子装置２から送信された通信信号を受信した場合、ステップＳ０７を実行する。１つのみの認証された携帯用電子装置２から送信された通信信号を受信した場合、ステップＳ０４を実行する。
【００１８】
ステップＳ０４において、モード選択モジュール１０２は、通信信号を送信した認証された携帯用電子装置２に個人モードが存在するか否かを判断する。個人モードは、ユーザの最も好きな番組リスト、最も好きなチャンネルリスト又は最も好みの設定等の個別設定を含む。最も好きな番組リストには、映画、テレビドラマ、バラエティ番組又は広告等の１つ又は複数のプログラムの名前が記録されている。最も好きなチャンネルリストには、１つ以上のチャンネル及びチャンネルの放送時間が記録されている。最も好きな番組リスト及び最も好きなチャンネルリストは、図８に示したように、第二テレビ制御システム２０のモード設定モジュール２０２を介して設置される。前記最も好みの設定は、ユーザの最も好みの音量、コントラスト、彩度、輝度等を含む。この最も好みの設定は、図８に示す第二テレビ制御システム２０の初期化モジュール２０１を介して設置される。認証された携帯用電子装置２に個人モードが存在する場合、ステップＳ０５を実行する。認証された携帯用電子装置２に個人モードが存在しない場合、ステップＳ０７を実行する。
【００１９】
ステップＳ０５において、モード選択モジュール１０２は、ユーザが個人モードを選択したか否かを判断する。認証された携帯用電子装置２に個人モードが存在する場合、ユーザインタフェースにおける表示モジュール２０３には、個人モード又は一般モードが表示される。ユーザが個人モードを選択した場合、ステップＳ０６を実行する。ユーザが一般モードを選択した場合、ステップＳ０７を実行する。
【００２０】
ステップＳ０６において、モード選択モジュール１０２は、個人モードを実行する。図６は、ステップＳ０６を詳細に説明する。
【００２１】
ステップＳ０７において、モード選択モジュール１０２は、一般モードを実行する。
【００２２】
ステップＳ０８において、実行モジュール１０３は、１つ又は複数の認証された携帯用電子装置２から送信されたコマンドに対応する関連機能を実行するように、スマートテレビ１を制御する。図７は、ステップＳ０８を詳細に説明している。
【００２３】
図５は、図４のステップＳ０１の詳細なフローチャートである。具体的には、以下のステップＳ１０〜ステップＳ１２を備える。
【００２４】
ステップＳ１０において、認証モジュール１００は、携帯用電子装置２のいずれか１つから送信された認証信号を受信したか否かを判断する。本実施形態において、スマートテレビ１が通信装置１１によって携帯用電子装置２の通信装置２１から送信された認証信号を受信した場合、認証モジュール１００は、携帯用電子装置２から送信された認証信号を受信したことを判断する。図８に示すように、ユーザが第二テレビ制御システム２０のユーザインタフェースにおける認証モジュール２００のキーを押すと、携帯用電子装置２は、通信装置２１によって認証信号をスマートテレビ１の通信装置１１に送信する。認証モジュール１００が携帯用電子装置２のいずれか１つから送信された認証信号を受信した場合、ステップＳ１１を実行する。認証モジュール１００があらゆる携帯用電子装置２から送信された認証信号を受信しなかった場合、プロセスはここで終了する。
【００２５】
ステップＳ１１において、認証モジュール１００は、携帯用電子装置２の認証が受け入れられたか否かを判断する。本実施形態において、携帯用電子装置２から送信された認証信号を受信した場合、スマートテレビ１の表示装置１４に表示される第一テレビ制御システム１０のユーザインタフェースには、受け入れオプション及び拒否オプションが表示される。スマートテレビ１のユーザが受け入れオプションを選択すると、認証モジュール１００は、認証が受け入れられたと判断し、ステップＳ１２を実行する。スマートテレビ１のユーザが拒否オプションを選択すると、認証モジュール１００は、認証が受け入れられなかったと判断し、プロセスはここで終了する。
【００２６】
ステップＳ１２において、認証モジュール１００は、携帯用電子装置２の識別された情報を認証リストに追加する。
【００２７】
図６は、図４のステップＳ０６の詳細なフローチャートである。具体的には、以下のステップＳ６０〜ステップＳ６６を備える。
【００２８】
ステップＳ６０において、モード選択モジュール１０２は、現在の時間において好きな番組リストに記録された番組が存在するか否かを判断する。最も好きな番組リストには、映画、テレビドラマ、バラエティ番組又は広告等の名前を記録することができる。例えば、最も好きな番組リストに某番組の名前が記録されている場合、モード選択モジュール１０２は、現在の時間内に前記某番組を放送するチャンネルが存在するか否かを判断する。現在の時間において最も好きな番組リストに記録された番組が存在する場合、ステップＳ６１を実行する。現在の時間において最も好きな番組リストに記録された番組が存在しない場合、ステップＳ６２を実行する。
【００２９】
ステップＳ６１において、モード選択モジュール１０２は、前記番組を放送するチャンネルをスマートテレビ１の電源投入時のチャンネルに設定する。現在の時間において、好きな番組リストに記録された複数の番組が存在する場合、モード選択モジュール１０２は、前記番組を放送する任意のチャンネルをスマートテレビ１の電源投入時のチャンネルに設定しても良い。或いは、ユーザの選択によって任意のチャンネルをスマートテレビ１の電源投入時のチャンネルに設定しても良い。また、現在の時間において、複数のチャンネルにおける最も好きな番組リストの中のいずれか１つの番組が放送されている場合、モード選択モジュール１０２は、任意のチャンネルをスマートテレビ１の電源投入時のチャンネルに設定しても良い。或いは、ユーザの選択によって任意のチャンネルをスマートテレビ１の電源投入時のチャンネルに設定しても良い。ステップＳ６１後、ステップＳ６５を実行する。
【００３０】
ステップＳ６２において、モード選択モジュール１０２は、現在の時間と最も好きなチャンネルリストに記録されているチャンネルの放送番組の時間とが一致するか否かを判断する。前記最も好きなチャンネルリストには、１つ以上のチャンネル及びチャンネルの放送時間が記録される。現在の時間が最も好きなチャンネルリスト内の任意の時間内に位置する場合、モード選択モジュール１０２は、現在の時間と好きなチャンネルリストに記録されたチャンネルの放送時間とは一致したと判断し、ステップＳ６３を実行する。現在の時間と最も好きなチャンネルリストに記録された任意のチャンネルの放送時間とが一致しない場合、ステップＳ６４を実行する。
【００３１】
ステップＳ６３において、モード選択モジュール１０２は、最も好きなチャンネルリストに記録された放送時間が現在の時間と一致するチャンネルをスマートテレビ１の電源投入時のチャンネルに設定する。
【００３２】
ステップＳ６４において、モード選択モジュール１０２は、前回のスマートテレビ１の電源がオフにされた時のチャンネルをスマートテレビ１の電源投入時のチャンネルに設定する。
【００３３】
ステップＳ６５において、モード選択モジュール１０２は、ユーザが他のチャンネルに切り替えたか否かを判断する。本実施形態において、図８に示すように、ユーザが、第二テレビ制御システム２０のユーザインタフェースにおける番組選択モジュール２０４のチャンネル切り替えキーを押すと、モード選択モジュール１０２は、ユーザが他のチャンネルに切り替えたと判断して、ステップＳ６６を実行する。ユーザが他のチャンネルに切り替えていない場合、プロセスはここで終了する。
【００３４】
ステップＳ６６において、モード選択モジュール１０２は、最も好きな番組リスト及び最も好きなチャンネルリストを携帯用電子装置２の表示モジュール２０３に表示する。
【００３５】
図７は、図４のステップＳ０６の詳細なフローチャートである。具体的には、以下のステップＳ８０〜ステップＳ８６を備える。
【００３６】
ステップＳ８０において、実行モジュール１０３は、ユーザが番組又はチャンネルを選択したか否かを判断する。本実施形態において、ユーザは、最も好きな番組リスト及び最も好きなチャンネルリストによって番組又はチャンネルを選択することができる。他の実施形態において、図８に示すように、ユーザは、番組選択モジュール２０４のチャネル選択キーを押すことによってチャンネルを選択することもできる。ユーザが番組又はチャンネルを選択した場合、ステップＳ８１を実行する。ユーザが番組又はチャンネルを選択しない場合、ステップＳ８２を実行する。
【００３７】
ステップＳ８１において、実行モジュール１０３は、選択された番組又はチャンネルに切り替える。
【００３８】
ステップＳ８２において、実行モジュール１０３は、現在の番組又はチャンネルを維持する。
【００３９】
ステップＳ８３において、実行モジュール１０３は、ユーザによって選択された又は現在放送されている番組又はチャンネルを最も好きな番組リスト及び／或いは最も好きなチャンネルリストに追加する必要があるか否かを判断する。本実施形態において、図８に示すように、ユーザがモード設定モジュール２０２のキーを押すと、実行モジュール１０３は、選択された又は現在の番組又はチャンネルを最も好きな番組リスト及び／或いは最も好きなチャンネルリストに追加する。選択された又は現在の番組又はチャンネルを最も好きな番組リスト及び／或いは最も好きなチャンネルリストに追加する必要がある場合、ステップＳ８４を実行する。選択された又は現在の番組又はチャンネルを最も好きな番組リスト及び／或いは最も好きなチャンネルリストに追加する必要がない場合、ステップＳ８６を実行する。
【００４０】
ステップＳ８４において、実行モジュール１０３は、選択された又は現在の番組又はチャンネルを最も好きな番組リスト及び／或いは最も好きなチャンネルリストに追加する。
【００４１】
ステップＳ８５において、実行モジュール１０３は、スマートテレビ１と携帯用電子装置２との最も好きな番組リスト及び／或いは最も好きなチャンネルリストを同期する。これにより、携帯用電子装置２の記憶装置２３に格納された最も好きな番組リスト及び最も好きなチャンネルリストを最新の状態に更新する。
【００４２】
ステップＳ８６において、実行モジュール１０３は、スマートテレビ１を停止する信号を受信したか否かを判断する。ユーザが図８に示すような電源モジュール２０５のキーを押すと、実行モジュール１０３は、スマートテレビ１を停止する信号を受信したと判断し、プロセスはここで終了する。スマートテレビ１を停止する信号を受信しなかった場合、上述のステップＳ８０に戻る。
【符号の説明】
【００４３】
１  スマートテレビ
１０  第一テレビ制御システム
１００  認証モジュール
１０１  通信判断モジュール
１０２  モード選択モジュール
１０３  実行モジュール
１１、２１  通信装置
１２、２２  制御装置
１３、２３  記憶装置
１４、２４  表示装置
２  携帯用電子装置
２０  第二テレビ制御システム
２００  請求モジュール
２０１  初期化モジュール
２０２  モード設定モジュール
２０３  表示モジュール
２０４  番組選択モジュール
２０５  電源モジュール
【図１】
2014128033.tif 000003
【図２】
2014128033.tif 000004
【図３】
2014128033.tif 000005
【図４】
2014128033.tif 000006
【図５】
2014128033.tif 000007
【図６】
2014128033.tif 000008
【図７】
2014128033.tif 000009
【図８】
2014128033.tif 000010